(57)【特許請求の範囲】
【請求項１】
セルロース繊維及び分割性複合繊維からなる水流交絡の不織布であって、該不織布を構成する分割性複合繊維の平均繊度に対するセルロース繊維の平均繊度の比が２．５〜１２、セルロース繊維と分割性複合繊維との質量比が５０／５０〜２０／８０であり、かつ、不織布としての平均繊維間距離が５〜２６．３μｍである不織布に、水系洗浄剤組成物を含有させてなる顔洗浄用シートであって、不織布１質量部に対して、水系洗浄剤組成物として平均ＨＬＢが１０〜１５の非イオン性界面活性剤を０．０１〜５質量部、多価アルコール及び／又はグリコールエーテルを０．０１〜３質量部、液状油分を０．００１〜５質量部含有させてなるメイクアップ又は皮脂汚れ除去用顔洗浄用シート。
【請求項２】
分割性複合繊維が、ポリエチレンテレフタレート／ポリエチレン、ポリエチレンテレフタレート／ナイロン、ポリエチレンテレフタレート／ポリプロピレン、ポリプロピレン／エチレン−ビニルアルコール共重合体、及びポリプロピレン／ポリエチレンから選ばれる組み合わせであることを特徴とする請求項１記載のメイクアップ又は皮脂汚れ除去用顔洗浄用シート。
【請求項３】
不織布が、水系洗浄剤組成物を１００μＬ滴下した時に１ｃｍ2以上の広がりとなる拡散性を有するものであり、かつ、５０％圧縮荷重２秒後の初期勾配が１００ｇ／ｓ以下の柔軟性を有するものである請求項１又は２記載のメイクアップ又は皮脂汚れ除去用顔洗浄用シート。
【請求項４】
不織布質量に対して水系洗浄剤組成物を１．５〜５倍量含有させてなる請求項１〜３のいずれか１項記載のメイクアップ又は皮脂汚れ除去用顔洗浄用シート。
【発明の詳細な説明】
【０００１】
【発明の属する技術分野】
本発明は、水系洗浄剤の保持能に優れ、メイク汚れや皮脂汚れに対して高い洗浄力を有し、使用中の肌感触及び使用後の仕上がり感に優れた皮膚洗浄用シートに関する。
【０００２】
【従来の技術及び発明が解決しようとする課題】
従来、口紅、ファンデーション、アイシャドウ、マスカラ等のメイクアップ汚れを除去するためには、油性基剤を主体とするゲル状クレンジング剤、クレンジングクリーム、クレンジングオイル等が用いられている。しかし、これらの油性基剤を主体とするクレンジング剤では、油っぽさやベタツキが強く感じられ、クレンジング剤で洗浄した後、更に洗顔料などで洗浄する必要があった。
【０００３】
一方、これらの使用感（油っぽさやベタツキ）を解決するため、クレンジングと洗顔を兼ね備えたタイプの洗顔料が用いられているが、ゲル状のものについては、洗浄の速さが遅く、すすぎ時にはゲルを形成する高分子によるヌルツキが大きいという問題がある。また、泡立てて使用するタイプのものは、泡立て時に水で希釈されるため、メイクアップ化粧品に対して洗浄力が充分に発揮されない。液状タイプのものは、洗顔時に顔から洗浄剤が流れて操作性が悪いという欠点がある。
【０００４】
また、粘度の低いメイク落とし用液体を用いてティッシュペーパーなどで拭き取るものもあるが、この場合には、ティッシュペーパー上に汚れを効率よく吸着することができず、裏うつりによりティッシュペーパーの両面がすぐ汚れてしまう。更に、毛穴につまる固体状の汚れをはじめとする皮脂汚れに対する洗浄力が十分ではなく、この洗浄力を十分ならしめるべくティッシュペーパーで強く肌をこすることは、肌にダメージを与えることから好ましい手段ではなく、よって、満足な洗浄力が得られないという問題があった。
【０００５】
また近年、シート状のメイク落としが、水を必要としないので簡便であるということから種々提案されており、例えば特開平１１−２１２１１号、同５−２７９２２６号、同１１−４９６４１号、同６−３０５９３１号、同７−２３３０２３号、同２−１０４５１１号、同４−５２２４号、同４−１５４７１７号公報等が開示されている。しかし、いずれのメイク落しも洗浄力が不充分であるか、使用後の感触がべたついたり、ぬるついたりする欠点があった。
【０００６】
特に特開平１１−２１２１１号公報には、シート（平均秤量約２０〜１２０ｇ／ｍ2の天然繊維製不織布等）にＨＬＢ１０〜１６の非イオン性界面活性剤、多価アルコールまたはグリコールエーテル、水を含有する皮膚洗浄用シート、また、同１１−４９６４１号公報にはセルロース含量が５０重量％以上、平均秤量が２０〜１２０ｇ／ｍ2 、構成繊維の平均繊度が３ｄ（デニール以下）、ドライ時の反射率が４５％以上の水流交絡の不織布に、非イオン性界面活性剤（ＨＬＢ１０〜１６)、水を含有させた皮膚洗浄用シートが提案され、これらは、高い洗浄力、低刺激性で、汚れが裏うつりしにくかったり、使用感触も良好なものである。しかし、これら皮膚洗浄用シートは、メイク落とし効果が充分満足できるとは言い難い上、シートの肌当たりが悪く、メイクを落とす際に肌を傷めることが懸念されるという課題があった。従って、上記課題が改善された、より高品質の皮膚洗浄用シートの開発が望まれる。
【０００７】
本発明は、上記要望に応えるためになされたもので、水系洗浄剤の保持能に優れ、メイクアップ汚れや皮脂汚れに対して非常に高い洗浄力を有し、かつ、使用中の肌感触及び使用後の仕上がり感に優れた皮膚洗浄用シートを提供することを目的とする。
【０００８】
【課題を解決するための手段及び発明の実施の形態】
本発明者は、上記目的を達成するため鋭意研究を行った結果、後述するような特定の特性を有する不織布シートに水系洗浄剤組成物を含有させることにより、水系洗浄剤組成物の保持性能に優れ、メイクアップや皮脂等の油性汚れに対して極めて高い洗浄力を発揮する上、シートの肌当たりが良好で、使用中の肌感触及び使用後の仕上がり感に優れ、メイク落とし時に肌を傷めることもない使用性に優れた皮膚洗浄用シートが得られることを見出し、本発明を完成した。
【０００９】
即ち、本発明は、セルロース繊維及び分割性複合繊維からなる水流交絡の不織布であって、該不織布を構成する分割性複合繊維の平均繊度に対するセルロース繊維の平均繊度の比が２．５〜１２、セルロース繊維と分割性複合繊維との質量比が５０／５０〜２０／８０であり、かつ、不織布としての平均繊維間距離が５〜２６．３μｍである不織布に、水系洗浄剤組成物を含有させてなる顔洗浄用シートであって、不織布１質量部に対して、水系洗浄剤組成物として平均ＨＬＢが１０〜１５の非イオン性界面活性剤を０．０１〜５質量部、多価アルコール及び／又はグリコールエーテルを０．０１〜３質量部、液状油分を０．００１〜５質量部含有させてなるメイクアップ又は皮脂汚れ除去用顔洗浄用シートを提供する。
【００１０】
この場合、不織布としては、水系洗浄剤組成物を１００μＬ滴下した時の広がりが１ｃｍ2以上となる拡散性を有するものであり、かつ、５０％圧縮荷重２秒後の初期勾配が１００ｇ／ｓ以下の柔軟性を有するものを使用することがより好適である。
【００１１】
以下、本発明につき更に詳細に説明すると、本発明の皮膚洗浄用シートを構成する不織布は、セルロース繊維及び合成繊維からなる水流交絡の不織布である。
【００１２】
ここで、不織布を構成するセルロース繊維としては、種々のセルロース系繊維が使用でき、例えばコットン、パルプ、麻等の天然セルロース繊維や、レーヨン繊維、テンセル繊維、キュプラ等の再生セルロース繊維などが挙げられ、これらの１種又は２種以上を用いることができる。本発明では、これらセルロース系繊維のうち、不織布の肌触り向上の点からコットン、レーヨン繊維、パルプ又はテンセル繊維がより好適に使用される。
【００１３】
セルロース繊維の平均繊度は特に制限されないが、３ｄ（デニール）以下、特に２ｄ以下、更には１．５ｄ以下であることが肌触りの向上やメイク汚れの吸い取り性向上の点などから、好ましい。
【００１４】
また、合成繊維としては、種々の合成繊維が使用でき、例えばポリプロピレン、ポリエチレン等のポリオレフィン系の樹脂からなる繊維、ポリエステル系、ポリアクリル系、ナイロン等のポリアミド系の樹脂からなる繊維や、これらの樹脂の共重合物、変成物からなる繊維等が挙げられ、これらを組み合わせてもよい。これら合成繊維の中では、不織布の肌触りの向上やメイク汚れの吸い取り性向上の点、分割性複合繊維などの複合合成繊維を作成する点などからポリオレフィン系、ポリエステル系、ポリアミド系の樹脂からなる繊維及びこれらの樹脂の共重合物、変成物からなる繊維を用いることが好ましい。更には、合成繊維のうち、不織布の肌触りの向上やメイク汚れの吸い取り性向上の点などから、分割性複合繊維を用いることがより好ましい。
【００１５】
分割性複合繊維の例としては、ポリエチレンテレフタレート／ポリエチレン、ポリエチレンテレフタレート／ナイロン、ポリエチレンテレフタレート／ポリプロピレン、ポリプロピレン／エチレン−ビニルアルコール共重合体、ポリプロピレン／ポリエチレン等の組み合わせがあり、その繊度、分割数など具体的な性状としては後述する実施例の表５に示すものなどがある。分割性複合繊維の組み合わせとしては、特に制限されないが、ポリエチレンテレフタレート／ポリエチレンとの組み合わせが、不織布の肌触りの向上やメイク汚れの吸い取り性向上の点などから、好ましい。なお、表５に示した複合繊維の繊維断面図を図１に示したが、これに制限されるものではなく、分割数も特に制限はない。但し、分割後の平均繊度は特に制限されるものではないが、０．５ｄ以下のものが、不織布の肌触りの向上やメイク汚れの吸い取り性向上の点などから、好ましい。いずれにせよ、これら分割性複合繊維を用いた場合であっても、合成繊維の繊度に対するセルロース繊維の繊度の比が２．５〜１２であればよい。
【００１６】
合成繊維の平均繊度は特に制限されないが、３ｄ（デニール）以下、特に２ｄ以下、更には０．５ｄ以下が肌触りの向上やメイク汚れの吸い取り性向上の点などから、好ましい。
【００１７】
本発明において、不織布を構成する合成繊維及びセルロース繊維は、円形均質断面であってもよいが、三角、星形、四つ葉形、雲形等の形状であってもよく、中空のある異形断面や、セルロースと合成繊維の組み合わせの複合繊維断面を有していてもよい。
【００１８】
本発明においては、これらの複合繊維断面を有する繊維を用いた場合であっても、合成繊維の平均繊度に対するセルロース繊維の平均繊度の比が２．５〜１２、好ましくは３〜８であることが必要であり、繊度比が上記範囲内であることで、メイク汚れの吸い取り性がよく、肌当たりが良好となる。合成繊維とセルロース繊維との繊度比が上記範囲外であると、メイク汚れの吸い取り性が悪くなり、メイク落ちが悪くなるだけでなく、肌当たりも悪くなり、使用中、使用後の感触が悪くなるなどの問題が生じる。とりわけ繊度比が上記値よりも小さいと良好なメイク除去性、使用感触、メイク拭き取り性が得られず、上記値よりも大きいと良好なメイク除去性、使用感触が得られない上、メイク拭き取り性に劣るものとなってしまう。
【００１９】
なお、上記した繊度とは、下記のように定義することができるものである。
繊維の繊度について：
繊維の太さは幅又は直径を計測して（顕微鏡測定法がある）表すことも可能ではあるが、天然繊維はもちろん、合成繊維でも一部の繊維を除き同じ形状のものは少ない。それ故に正確を期し難いので、一般には長さに対する質量の割合で表すのが普通で、これらを繊度といい、単位としてデニールを使用する（最近は国際単位としてテックスも導入されている）。デニールは長さ９０００ｍ当りの繊維の質量をグラム数で表示したもので（テックスは長さ１００００ｍ当りの質量をグラム数で表示したもの）ｄ又はＤの記号を使用する。
【００２０】
また、不織布の構成繊維の分布は特に制限されず、太さ、種類、性質等の異なる繊維が厚み方向で層状に分布してもよいが、太さ、種類、性質等の異なる繊維がランダムに混合しているのが、メイク落ち性、洗浄剤の保持性の点で好ましい。
【００２１】
本発明の皮膚洗浄用シートに用いられる不織布は、これを構成するセルロース繊維と合成繊維の質量比が８０／２０〜１０／９０、好ましくは４９／５１〜２０／８０、より好ましくは４０／６０〜２０／８０であることが必須であり、上記比の範囲とすることで使用感が良好で、拭き取る時の感触がよく、メイク汚れの吸い取り性も良好となる。セルロース繊維の含有量が少なく質量比が上記値より小さくなると、水系洗浄剤の保持性が低下し、セルロース繊維の含有量が多く質量比が上記値より大きくなると、肌当たりやメイク落ちが低下するため好ましくない。
【００２２】
更に、本発明で使用する不織布は、その平均繊維間距離が５〜１００μｍ、好ましくは１０〜６０μｍであり、この範囲とすることで肌当たりやメイク汚れの吸い取り性がよく、高い洗浄力を発揮させることができる。平均繊維間距離が上記値より短くてもそれ以上の性能の向上は認められず、上記値より長いと肌当たりが低下したり、メイク汚れの吸い取り性が低下し、好ましくない。なお、平均繊維間距離は、以下の計算式により算出することができる。
【００２３】
【数１】
0004054939.tif 000002
【００２４】
本発明においては、不織布に含浸させた水系洗浄剤がメイク汚れや皮脂汚れを可溶化して、不織布が吸いあげる効果を考慮すると、不織布における水系洗浄剤組成物の拡散性が、後述する本発明にかかわる水系洗浄剤組成物１００μＬを不織布に滴下した時の広がり面積が１ｃｍ2以上であることが好ましく、２ｃｍ2以上であることがより好ましい。よって、不織布として、上記拡散性が上記範囲内となるようなものを選択使用することが好ましい。拡散性が上記値より悪いとメイク汚れや皮脂汚れに対する洗浄力が低下する場合がある。なお、この拡散性試験は、色素を添加した水系洗浄剤１００μＬを不織布に滴下し、１分後の楕円状の染みについて、長径と短径を測定することで、面積を計算して求めることができるものである。
【００２５】
また、不織布は、メイクを拭き取る際、肌への負担を軽減するため、できるだけ肌当たりの柔らかいものがよいことから、下記のように測定した不織布の柔軟性が１００ｇ／ｓ以下、特に７０ｇ／ｓ以下、とりわけ５０ｇ／ｓ以下のものが好ましい。この柔軟性は、テクスチャーアナライザー（ＳＭＳ社製、ＴＡ−ＸＴ２）で下記条件で圧縮荷重（不織布を５０％圧縮するように設定）をかけた時の加重２秒後の初期勾配を求めることにより測定できるものである。
柔軟性の測定条件
圧縮荷重：５０％（不織布を５０％圧縮するように設定）
プローブ：直径２ｃｍ
降下速度：０．１ｍｍ／ｓ
その他：初期荷重が５ｇを検知した時から測定するように設定
【００２６】
なお、本発明に使用するこのような特性を有する不織布の製造方法としては、得られたものの肌感触などがよい点から水流交絡法が採用される。また、製造方法としては、その他、ウェブを接着剤で結合させるケミカルボンド法やウェブに熱を加えて、繊維の自己接着又は接着繊維で結合させるサーマルボンド法などがあるが、これら方法は繊維同士を接着させてしまうため、繊維の自由度が小さくなって、かための不織布となり、結果的に肌当たりが悪くなってしまうので好ましくない。
【００２７】
本発明において、不織布に含有させる水系洗浄剤組成物は特に限定されず、皮膚洗浄用のものであれば種々のものを使用することができるが、非イオン性界面活性剤、特に平均ＨＬＢ値が１０〜１５の非イオン性界面活性剤、液状油分、多価アルコール及び／又はグリコールエーテルを主成分とするものが好ましい。
【００２８】
この場合、非イオン性界面活性剤としては、通常の洗浄剤組成物に用いられるものであればよいが、上述したように平均ＨＬＢ値が１０〜１５、特に１２〜１４のものが好ましく、例えばポリオキシエチレン脂肪酸エステル、ポリオキシアルキレンアルキルエーテル、ポリオキシエチレングリセリン脂肪酸エステル、脂肪酸ポリグリセリルエステル、脂肪酸アルキロールアミドが好ましい。この中でも、ポリオキシエチレングリセリン脂肪酸エステルが使用後のべたつきがなく、より好ましい。特に、エチレンオキサイドの付加モル数が５〜１５、好ましくは７〜１０で、脂肪酸部分の炭素数が８〜１６、好ましくは炭素数１２のものを全脂肪酸部分の３０％以上含有するものが、メイク落ち効果が高くてよい。例えば、モノラウリン酸ポリオキシエチレン（７）グリセリン（ＨＬＢ１２）、モノラウリン酸ポリオキシエチレン（１０）グリセリン（ＨＬＢ１４）、モノ硬化ヤシ油脂肪酸ポリオキシエチレン（７）グリセリン（ＨＬＢ１２）、モノ硬化ヤシ油脂肪酸ポリオキシエチレン（１０）グリセリン（ＨＬＢ１４）、モノヤシ油脂肪酸ポリオキシエチレン（７）グリセリン（ＨＬＢ１２）等が好ましく用いられる。液状油分としては、一般に化粧品基剤として用いられるものを採用できる。例えば、パラフィン、ワックス、ワセリン、スクワラン等の炭化水素、脂肪酸グリセライド、高級脂肪酸、高級アルコール、高級アルコールエステル、高級アルコールエーテル、脂肪酸エステル、天然動植物油、シリコーン等である。特に洗浄力と使用感触の点から、スクワラン、ホホバ油、ヒマワリ油、オリーブ油、つばき油、ブドウ油、トリ２−エチルヘキサン酸グリセリル、２−エチルヘキサン酸２−エチルヘキシル、２−エチルヘキサン酸セチル、トリカプリル・カプリン酸グリセリルが好ましい。
【００２９】
多価アルコールとしては、例えば、ヘキシレングリコール、エチレングリコール、プロピレングリコール、イソプロピレングリコール、ジプロピレングリコール、１，３−ブチレングリコール、ジエチレングリコール、グリセリン、ペンタエリスリトール、ソルビトール等が挙げられる。これらのうち、特にプロピレングリコール、グリセリン、１，３−ブチレングリコール、ソルビトール、ジプロピレングリコールが使用感触の点から好ましい。また、グリコールエーテルとしては、例えば、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、プロピレングリコールモノメチルエーテル、プロピレングリコールモノエチルエーテル、エチレングリコールモノフェニルエーテル等が挙げられる。これらのうち、特にジエチレングリコールモノエチルエーテルが、使用感触の点から好ましい。
【００３０】
なお、非イオン界面活性剤、液状油分、多価アルコール及び／又はグリコールエーテルはそれぞれ１種又は２種以上を組み合わせて用いることができる。
【００３１】
この場合、非イオン性界面活性剤の配合量は２〜１５％（質量％、以下同様）、特に３〜１２％とすることができ、多価アルコール及び／又はグリコールエーテルは、０．１〜１０％、特に０．５〜８％、液状油分は０．０１〜５％、特に０．０５〜０．９％の配合量とすることができるが、この場合、水系洗浄剤組成物は、不織布１質量部に対して非イオン性界面活性剤を０．０１〜５質量部、好ましくは０．０３〜２質量部、多価アルコール及び／又はグリコールエーテルを０．０１〜３質量部、好ましくは０．０２〜２質量部、油分を０．００１〜５質量部、好ましくは０．００２〜２質量部配合することが、洗浄力、使用感触の点から好ましい。
【００３２】
なお、上記洗浄剤組成物には、さっぱりした使用感を与える点からエタノールを３〜１５％配合し得るほか、保湿剤、殺菌剤、キレート剤、色素、香料、酸化防止剤、ｐＨ調整剤、消炎剤等を配合し得る。
【００３３】
また、洗浄剤組成物を不織布に含浸させることを考慮すると、洗浄剤組成物の粘度は、２０℃において５０００ｍＰａ・ｓ以下、好ましくは３０００ｍＰａ・ｓ以下、より好ましくは２０００ｍＰａ・ｓ以下であることが好ましい。粘度が上記範囲外であると、水系洗浄剤が不織布に含浸されづらくなり、性能上好ましくない場合がある。
【００３４】
不織布に上記水系洗浄剤組成物を含有させる手段としては、不織布に上記水系洗浄剤組成物を含浸させる方法が好適に採用される。具体的には、不織布を折りたたんでスプレー法で含浸させる方法などが挙げられる。
【００３５】
この場合、水系洗浄剤組成物の含有量は、不織布質量に対して１．５〜５倍量、特に２．５〜４倍量とすることが好ましく、含有量が少なすぎると十分な洗浄力が得られない場合があり、多すぎても洗浄力の向上が認められない場合がある。
【００３６】
本発明の洗浄用シートは、皮膚用として、とりわけ顔洗浄用シートとして好適に利用できるもので、例えば洗浄剤組成物としてメーク落し用洗浄剤組成物を含有させてメイクアップや皮脂汚れを除去するのに有用である。なお、その使用方法は、一般的な方法を採用し得、通常の方法で皮膚表面の汚れを拭き取るなどすればよい。
【００３７】
【発明の効果】
本発明の皮膚洗浄用シートは、水系洗浄剤の保持能に優れ、皮膚に対して低刺激性でありながら、メイクアップや皮脂汚れに対する洗浄力が高く、かつ、使用中の肌感触及び使用後の仕上がり感に優れており、メイクアップや皮脂汚れを除去する顔洗浄用シートとして好適である。
【００３８】
【実施例】
次に、実施例及び比較例を挙げて本発明を具体的に説明するが、本発明はこれら実施例に限定されるものではない。なお、以下の例において％はいずれも質量％である。
〔実施例１〜７、参考例１〜４、比較例１〜１１〕
表１〜４に示す組成の皮膚洗浄用シートを製造し、そのシートについて、メイク除去性効果、使用感触、水系洗浄剤の保持能を下記方法で評価した。その他、各シートのドライ時のメイク拭き取り性についても下記方法で評価した。その結果を表１〜４に示す。表１〜４中の不織布繊維の分布はすべて厚み方向の層数が１である。なお、不織布の拡散性、柔軟性は下記方法で測定した。
拡散性：
試料台に固定（不織布が実験台と接触しないようにするため）した不織布（１０ｃｍ×１０ｃｍ）に、色素を添加した水系洗浄剤を一定量（１００μＬ）滴下し、１分後に生じた楕円状の染みについて、長径と短径を測定することで、面積を計算して求めた。
柔軟性：
テクスチャーアナライザー（ＳＭＳ社製、ＴＡ−ＸＴ２）を用い、下記条件下で圧縮荷重（不織布を５０％圧縮するように設定）をかけた時の加重２秒後の初期勾配を求めることにより測定した。なお、不織布の大きさは１０ｃｍ×１０ｃｍとした。
柔軟性の測定条件
圧縮荷重：５０％（不織布を５０％圧縮するように設定）
プローブ：直径２ｃｍ
降下速度：０．１ｍｍ／ｓ
その他：初期荷重が５ｇを検知した時から測定するように設定
【００３９】
（評価方法）
メイク除去性効果：
専門パネラー１０名の人下腕内側に一定量の口紅（２．５ｍｇ）を塗布し、各洗浄用シートを用い一定圧（約１５０ｇｆ）で同回数拭き取り（１０往復）、目視でメイクの除去性効果を下記指標に従って評価した。なお、不織布の大きさは５０×５０ｍｍとした。
評価指標：
◎：完全に口紅が落ちた
○：ほとんど口紅が落ちた
△：やや口紅が残った
×：かなり口紅が残った
【００４０】
使用感触：
メイク除去性評価法と同様の方法により、各洗浄用シートで拭き取った後、ヌルツキ感、ベタツキ感などの使用感触を以下の指標に従って官能評価した。
評価指標：
◎：非常によい
○：よい（好き）
△：ふつう
×：悪い（きらい）
【００４１】
水系洗浄剤保持能：
一定量（１ｇ）の不織布を折りたたみ、一定量（３ｇ）の水系洗浄剤を均一にしみ込ませ、指で押した時のしみ出し状態を以下の基準に従って評価した。
評価指標：
◎：全然しみ出さない
○：しみ出さない
△：ややしみ出す
×：しみ出す
【００４２】
拭き取り性：
ガラス板（科学機器総合カタログ  商品コード：５７９−０７−５２−５０；７５φｍｍ）にファンデーション（コーセー社製  スポーツビューティーサンカットモイスチャアパクト）を均一に塗布し、シリコーン樹脂製プレート（６０×１５×３ｍｍ）に巻き付けた不織布サンプル（ドライ時、５０×５０ｍｍ）で、ファンデーションを５往復ずつ新しい面を使用して合計１５往復、こすり圧約１５０ｇｆで拭き取った。拭き取り後、ガラス面の光沢度（入射角２０度）を、ＧＬＯＳＳＣＨＥＣＫＥＲＩＧ−３３０（ＨＯＲＩＢＡ社製）を用いて測定した。評価指標：
◎：８０％以上
○：７０％以上８０％未満
△：６０％以上７０％未満
×：６０％未満
【００４３】
表１〜４の結果より、本発明の皮膚洗浄用シートは、水系洗浄剤の保持能に優れ、皮膚に対して低刺激性でありながら、メイクアップや皮脂汚れに対する洗浄力が高く、かつ、使用中の肌感触及び使用後の仕上がり感に優れていることが判明した。
【００４４】
【表１】
0004054939.tif 000003
＊：表５に示す繊維物性を有するもの
【００４５】
【表２】
0004054939.tif 000004
＊：表５に示す繊維物性を有するもの
【００４６】
【表３】
0004054939.tif 000005
＊：表５に示す繊維物性を有するもの
【００４７】
【表４】
0004054939.tif 000006
＊：表５に示す繊維物性を有するもの
【００４８】
【表５】
0004054939.tif 000007
繊維番号１〜６：分割性複合繊維
繊維番号７：複合繊維
ＰＥＴ：ポリエチレンテレフタレート
ＰＥ：ポリエチレン
ＰＰ：ポリプロピレン
ＥＶＯＨ：エチレン−ビニルアルコール共重合体
＊＊：繊維断面構造は、図１に示す通りである。
【００４９】
〔実施例８〜２３、参考例５〜９〕
表６〜８に示すように各種不織布に下記処方Ｎｏ．１〜２１の水系洗浄剤組成物を含有させ、皮膚洗浄用シートを作成した。得られたシートは、いずれもメイク除去性、使用感触、水系洗浄剤保持能、ドライ時のメイク拭き取り性に優れていた。
【００５０】
【表６】
0004054939.tif 000008
＊：表５に示す繊維物性を有するもの
＊＊＊：洗浄剤処方…下記に示す処方Ｎｏ．の洗浄剤を使用
【００５１】
【表７】
0004054939.tif 000009
＊：表５に示す繊維物性を有するもの
＊＊＊：洗浄剤処方…下記に示す処方Ｎｏ．の洗浄剤を使用
【００５２】
【表８】
0004054939.tif 000010
＊：表５に示す繊維物性を有するもの
＊＊＊：洗浄剤処方…下記に示す処方Ｎｏ．の洗浄剤を使用
【００５３】
〔処方Ｎｏ．１〕
ヤシ油脂肪酸ジエタノールアミド（平均ＨＬＢ＝１２）    ４％
スクワラン                                            ０．１
ヒマワリ油                                            ０．１
１，３−ブチレングリコール                            ２
スメクタイト＊３                                      ０．２
スメクタイト＊４                                      ０．２
メチルパラオキシ安息香酸                              ０．２
エタノール                                          １０
香料油                                                ０．０１
水                                                    残余      
計                                                １００．０％
【００５４】
0004054939.tif 000011
【００５５】
0004054939.tif 000012
【００５６】
0004054939.tif 000013
【００５７】
0004054939.tif 000014
【００５８】
0004054939.tif 000015
【００５９】
0004054939.tif 000016
【００６０】
0004054939.tif 000017
【００６１】
0004054939.tif 000018
【００６２】
0004054939.tif 000019
【００６３】
0004054939.tif 000020
【００６４】
0004054939.tif 000021
【００６５】
0004054939.tif 000022
【００６６】
0004054939.tif 000023
【００６７】
0004054939.tif 000024
【００６８】
0004054939.tif 000025
【００６９】
0004054939.tif 000026
【００７０】
0004054939.tif 000027
【００７１】
0004054939.tif 000028
【００７２】
〔処方Ｎｏ．２０〕リンス
４−グアニジノブチルラウロアミド                      １％
Ｎ−ヤシ油脂肪酸アシル−Ｌ−アルギニンエチル          １
塩化ステアリルトリメチルアンモニウム                  １
塩化ベヘニルトリメチルアンモニウム                    １
セタノール                                            ２
ステアリルアルコール                                  ２
ベヘニルアルコール                                    ２
グリセリン                                            ３
プロピレングリコール                                  ３
ポリオキシエチレン（ＰＯＥ２０）ラウリルエーテル      ０．１
モノステアリン酸ソルビタン                            ０．１
モノステアリン酸グリセリル                            ０．１
ジメチルポリシロキサン（１００万ｍＰａ・ｓ）          ２
ジメチルポリシロキサン（１０万ｍＰａ・ｓ）            ２
メチルパラオキシ安息香酸                              適量
酢酸                                                  適量
グリコール酸                                          適量
リン酸                                                適量
トリイソプロパノールアミン                            適量
香料油                                                適量
水                                                    残余      
計                                                １００．０％
【００７３】
〔処方Ｎｏ．２１〕ボティーソープ
モノ−Ｎ−ラウリルリンゴ酸アミドカリウム              ７％
ラウリン酸カリウム                                    ５
ミリスチン酸カリウム                                  ５
パルミチン酸カリウム                                  ４
ラウリルジメチルアミンオキサイド                      ３
ポーラゲルＮＦ（アメリカンコロイド社製）              ０．５
ヒドロキシエチルセルロース＊１２                      ０．２
カルボキシビニルポリマー＊１３                        １
プロピレングリコール                                  ８
塩化カリウム                                          ０．３
エデト酸四ナトリウム四水塩                            ０．２
香料油                                                適量
水                                                    残余      
計                                                １００．０％
＊１：ソフタール７０（日本触媒社製）
＊２：ソフタール５０（日本触媒社製）
＊３：ベンゲルＦＷ（豊順工業社製）
＊４：クニピアＦ（クニミネ工業社製）
＊５：オクトピロックス（クラリアント・ジャパン社製）
＊６：ＢＹ２２−０２０（東レ・ダウコーニング・シリコーン社製）
＊７：ローズマリー水（丸善製薬社製）
＊８：質量平均分子量６００、ＨＬＢ１２（日本ユニカー社製）
＊９：６０ＳＨ−０３（信越化学工業社製）
＊１０：エマレックス１８２０（日本エマルジョン社製）
＊１１：トスパール２０００（東芝シリコーン社製）
＊１２：ＨＥＣダイセル  ＳＰ５５０（ダイセル化学工業社製）
＊１３：カーボポール９４１（ＢＦ  グッドリッチ社製）
【図面の簡単な説明】
【図１】表５に示す合成複合繊維の断面図である。
【符号の説明】
１  第１成分
２  第２成分
【図１】
0004054939.tif 000029